(57)【要約】【課題】この発明の目的は、流れる水に含まれている土砂等が堆積するようにして近年の自然環境の保護、景観の維持等のエコロジーの観点からも良好なＵ字溝を提供することにある。【解決手段】断面が上向きコ字状をなすとともに、所定の長さを有する本体の対向する縦向き面のうちの少なくとも一面に壁を一体に設けて本体の縦向き面との間でポケットを形成し、前記壁のうちの流れの下流側であって本体の底面に近い部位に水の出口を設けてＵ字溝を形成し、このようなＵ字溝をそのポケットが交互に反対側に位置するように複数個配設して流路を形成して流れる水が蛇行するようにした。【選択図】        図１
2005048365.tif 000002
【特許請求の範囲】
【請求項１】
断面が上向きコ字状をなすとともに、所定の長さを有する本体の対向する縦向き面のうちの少なくとも一面に壁を一体に設けて本体の縦向き面との間でポケットを形成し、前記壁のうちの流れの下流側であって本体の底面に近い部位に水の出口を設けてＵ字溝を形成し、このようなＵ字溝をそのポケットが交互に反対側に位置するように複数個配設して流路を形成することを特徴とするＵ字溝。
【請求項２】
前記ポケットを形成する壁は本体の縦向き面から湾曲状に突出している請求項１記載のＵ字溝。
【請求項３】
前記壁は、その高さが流れの上流側から下流側にかけて順次高くなる勾配を有している請求項１記載のＵ字溝。
【請求項４】
前記Ｕ字溝を複数個連結して水を流した時は、流れは蛇行するとともに、この蛇行する流れの一部が前記ポケットの内部に流入した後に出口から流出する請求項１記載のＵ字溝。
【請求項５】
断面が上向きコ字状をなすとともに、所定の長さを有する本体の対向する縦向き面のうちの少なくとも一面に上面が高さ方向に勾配を有しているとともに、湾曲状に突出する壁を一体に設けて本体の縦向き面との間でポケットを形成し、前記壁のうちの勾配の高い側であって本体の底面に近い部位に水の出口を設けてＵ字溝を形成し、このようなＵ字溝をそのポケットが交互に反対側に位置するように、かつ壁の勾配が低い側が上流側になるように複数個配設して流路を形成することを特徴とするＵ字溝。
【請求項６】
前記壁はプレス加工で形成されている請求項１または５記載のＵ字溝。
【請求項７】
前記壁は樹脂成形で形成されている請求項１または５記載のＵ字溝。
【請求項８】
前記壁の上流側の端面は本体の端面よりも下流側に位置して本体の底面と一致している請求項１または５記載のＵ字溝。
【発明の詳細な説明】
【０００１】
【発明の属する技術分野】
この発明はＵ字溝に関し、特に、内部の流れを蛇行させるとともに、水による運搬物を堆積して自然環境に近い状態にすることができるＵ字溝に関するものである。
【０００２】
【従来の技術およびその問題点】
一般に、水を流すためのＵ字溝に関しては特開平７−２７９２２８号に示すようなものが知られている。
【０００３】
【特許文献１】
特開平７−２７９２２８号公報
【０００４】
この特許文献１に示すものは、断面が上向きＵ字状をなして両側に開口するとともに、所定の長さを有するＵ字溝を用い、このＵ字溝の開口同士を連結して所定の長さの溝を形成する。そして、所望の位置に配設して溝の内部に水を流すことができる水路を形成するようになっている。
【０００５】
上記のようにして連結するようになっているＵ字溝にあっては、水を流した時には、水の流れが直線状となって、一緒に流れてくる土砂等は一体に流れてしまうようになっている。
【０００６】
このために、Ｕ字溝内を水が流れた際には、水と一体に流れてくる、たとえば土砂、木片等もそのまま一緒に流れてしまうので、Ｕ字溝の内部には魚等は生息することができない。このために、自然環境の保護や景観の維持等に対しては程遠いこととなっていて、近年要望されている、所謂、エコロジーの観点からは問題を有している。
【０００７】
この発明の目的は、前記のような従来のもののもつ問題点を解決するとともに、近年の自然環境の保護、景観の維持等のエコロジーの観点からも良好なＵ字溝を提供することにある。
【０００８】
【問題点を解決するための手段】
上記の目的を達成するためにこの発明は、断面が上向きコ字状をなすとともに、所定の長さを有する本体の対向する縦向き面のうちの少なくとも一面に壁を一体に設けて本体の縦向き面との間でポケットを形成し、前記壁のうちの流れの下流側であって本体の底面に近い部位に水の出口を設けてＵ字溝を形成し、このようなＵ字溝をそのポケットが交互に反対側に位置するように複数個配設して流路を形成する手段を採用したものである。そして、前記ポケットを形成する壁は本体の縦向き面から湾曲状に突出しており、また、前記壁は、その高さが流れの上流側から下流側にかけて順次高くなる勾配を有している。そして、前記Ｕ字溝を複数個連結して水を流した時は、流れは蛇行するとともに、この蛇行する流れの一部が前記ポケットの内部に流入した後に出口から流出する手段を採用した。
また、この発明は、断面が上向きコ字状をなすとともに、所定の長さを有する本体の対向する縦向き面のうちの少なくとも一面に上面が高さ方向に勾配を有しているとともに、湾曲状に突出する壁を一体に設けて本体の縦向き面との間でポケットを形成し、前記壁のうちの勾配の高い側であって本体の底面に近い部位に水の出口を設けてＵ字溝を形成し、このようなＵ字溝をそのポケットが交互に反対側に位置するように、かつ壁の勾配が低い側が上流側になるように複数個配設して流路を形成する手段を採用した。
そして、前記壁はプレス加工や樹脂成形で形成する手段も採用したものであり、また、前記壁の上流側の端面は本体の端面よりも下流側に位置して本体の底面と一致している手段を採用したものである。
【０００９】
【作用】
本発明は上記のように構成したことにより、Ｕ字溝内の水の流れが蛇行し、しかもこの時にポケットの内部にも流入するためにポケットの内部に土砂等が堆積して自然に近い状態になる。したがって、このポケットの内部で動植物が繁殖したりするとともに、ポケットの内部に配設するもの、たとえば木炭によっては流れる水を濾過、透過することができて水質の保全と活性化を図ることができる。
【００１０】
【発明の実施の形態】
以下、図面に示すこの発明の実施の形態について説明する。
図１〜図４にはこの発明によるＵ字溝１が示されていて、このＵ字溝１は、通常のＵ字溝と同様に上方に開口するコ字状をなすとともに、所定の長さを有している。そして、この発明によるＵ字溝１にあっては従来のＵ字溝と同様な本体２と、この本体２の対向する縦向き両側面３、４の少なくとも一方の側面３に、他方の側面４に向かって湾曲状に突出するとともに、傾斜をして長さ方向に対して順次傾斜、すなわち、勾配を有して湾曲状に突出する壁５とを有し、それらが一体となっているとともに、本体２の一方の側面３と壁５との間でポケット６が形成されている。
【００１１】
このポケット６は、下面が本体２の底面７との間で閉塞しているとともに、傾斜して高くなっている方の下側には出口８が形成されている。
【００１２】
一方、上記のように形成したＵ字溝１と、このＵ字溝１と壁５が反対方向に突出しているＵ字溝１０も形成する。すなわち、本体２の対向する他方の側面４に一方の側面３に向かって湾曲状に突出するとともに、傾斜して勾配を有している壁５を設けてポケット６を形成してポケット６が一体に設けられたＵ字溝１０を形成する。
【００１３】
このポケット６は、前記のＵ字溝１と同様に水の上流から下流にかけて順次高くなっており、すなわち、ポケット６を構成する湾曲状に突出する壁５のうちの上流側の部位の上面はほぼ本体２の底面７に位置し、また、下流側に位置する部位の上面は両側面３、４の上部に位置している。
【００１４】
そして、上記のような互いにポケット６の取り付け位置、および勾配が反対になっているＵ字溝１、１０を複数個用意し、交互にポケット６が位置するようにＵ字溝１、１０を順次配設する。
これによって、上流側から下流側に向かって順次高くなる開口部を有するポケット６が互い違いに突出しているＵ字溝１、１０による流路が形成される。
【００１５】
上記のように構成された流路に水を流すと、湾曲状に突出したポケット６の作用によって水は蛇行して流れるとともに、一部の水はポケット６に流入する。これに対して、一般的なＵ字溝にあっては水は直線状に流れ、これとともに土砂も流してしまう。
【００１６】
したがって、この発明によるＵ字溝を用いて形成した流路にあっては、水は蛇行して流れ、これとともに、土砂も流れる。そして、水が湾曲状に突出したポケット６の作用によって蛇行した流れの本流として流れる時に、水はポケット６の内部に貯溜しつつさらにこの貯溜した水の上面を上昇しつつ流れることになる。
【００１７】
また、水の一部はポケット６の内部に流入した後に出口８を介して流出して本流に合流するので、ポケット６の内部においても流れが生じる。このようにポケット６の内部にも流れを形成することでポケット６の内部に沈殿物が堆積する恐れは無くなる。
【００１８】
一方、水とともに流れる土砂も本流やポケット６の内部に流れ、特に、ポケット６の内部に流入した土砂はポケット６の内部に除々に堆積することになり水中微生物、昆虫、植物等などの自然繁殖が期待できる。この堆積に関しては前記出口８の存在によりポケット６の内部で堆積物が腐ったりする恐れは無いので水中微生物、昆虫、植物等などの自然繁殖は良好になる。
【００１９】
前記実施の形態においては、ポケット６を湾曲状に突出する壁５で形成したが、これに限定することなく種々な形状の壁５で形成することができ、また、そのようにして形成したポケット６によって本流を蛇行させることができることに加えて、ポケット６の内部を用いることで種々な効果を期待することができる。すなわち、内部に雑木の小枝を敷き詰めることにより、水中微生物、昆虫などの孵化、養殖場として活用でき、内部に木炭を敷き詰めて水を濾過、透過させることで不純物の除去と水質の保全と活性化に努められる。また、内部に土砂等を敷き詰め、植物を栽培することにより、土中微生物、昆虫などの孵化繁殖が旺盛になるほか、水中に垂れ落ちた草植物は、魚や昆虫などの産卵の場として利用できる。
【００２０】
したがって、ポケット６を形成することで上記のような種々な効果が混然一体となって発揮することができるものであり、この場合、ポケット６を形成する壁５をプレス加工や樹脂成形等で形成して従来のＵ字溝に取り付けることでもポケット６を配設することができる。
【００２１】
なお、前記実施の形態においては上面が傾斜する、すなわち所定の勾配を有している壁５を用いてポケット６を形成したが、これに限定することなく勾配が無くても良い。また、勾配によって壁５の上流側の端部が本体２の端面に位置するようにしたが、本体２の端面から下流方向の位置で本体２の底面７と一致するように構成しても良い。このことは、流れの一部がポケット６の内部に流入するように壁５を設ければ良いという事であり、勾配は必ずしも必要となるものではない。
【００２２】
【発明の効果】
この発明は前記のように構成したことにより、従来のＵ字溝と異なって流れを蛇行させることに加えて流れに混在する土砂等をポケットの内部に溜めることができ、この溜めた土砂等を用いて自然の環境に近い状態にすることができる。これによって、従来のＵ字溝では全く存在しなかった水中微生物等の自然繁殖や昆虫植物等の自然繁殖を期待することができるという効果を奏するものである。
【図面の簡単な説明】
【図１】この発明によるＵ字溝を示す概略斜視図である。
【図２】この発明によるＵ字溝の概略平面図である。
【図３】この発明によるＵ字溝の流れと直交する方向で切断した状態を示す概略断面図である。
【図４】この発明によるＵ字溝を流れの方向で切断した状態を示す概略断面図である。
【図５】この発明によるＵ字溝を交互にポケットが位置するようにして複数個を連続させて水を流した場合を示す概略図である。
【符号の説明】
１、１０……Ｕ字溝
２……本体
３、４……側面
５……壁
６……ポケット
７……底面
８……出口
【図１】
2005048365.tif 000003
【図２】
2005048365.tif 000004
【図３】
2005048365.tif 000005
【図４】
2005048365.tif 000006
【図５】
2005048365.tif 000007